(57)【要約】【課題】ワイヤーハーネス等を保持するクリップにおいて、一旦設置されたワイヤーハーネス等を取り外す作業が容易であるクリップを提供する。【解決手段】帯状のバンド部３と、バンド部３の長手方向の中間部で、バンド部７の長手方向に対して斜めに延びてバンド部７から枝分かれしている舌部７とを有するクリップ１である。【選択図】図１
2010230126.tif 000002
【特許請求の範囲】
【請求項１】
帯状のバンド部と；
前記バンド部の長手方向の中間部で、前記バンド部の長手方向に対して斜めに延びて前記バンド部から枝分かれしている舌部と；
を有することを特徴とするクリップ。
【請求項２】
請求項１に記載のクリップにおいて、
前記バンド部の基端部側部位が一体成形されており、前記バンド部の先端部側部位と前記舌部とが一体成形されており、前記バンド部の基端部側部位の先端部に、前記先端部側部位と前記舌部とが、前記先端部側部位と前記舌部との境界で結合されて、前記バンド部が一体的に形成されていることを特徴とするクリップ。
【請求項３】
請求項２に記載のクリップにおいて、
前記バンド部と前記舌部とは、これらの長手方向に直交する平面による断面が、厚さ寸法よりも幅寸法が大きい長方形状に形成されており、
前記バンド部の長手方向で、前記バンド部の基端部側部位の先端部の近傍から先端部にかけて、前記基端部側部位の厚さが次第に薄くなっており、
この次第に薄くなっている部位における厚さ方向の一方の面と、前記先端部側部位と前記舌部との境界部位における厚さ方向の一方の面とがお互いに面接触して、前記基端部側部位と前記先端部側部位と前記舌部とが一体的に形成されていることを特徴とするクリップ。
【請求項４】
請求項１に記載のクリップにおいて、
前記バンド部の基端部側部位と前記舌部とが一体成形されており、前記バンド部の先端部側部位が一体成形されており、前記バンド部の先端部側部位の基端部に、前記基端部側部位と前記舌部とが、前記基端部側部位と前記舌部との境界で接続されて、前記バンド部が一体的に形成されていることを特徴とするクリップ。
【発明の詳細な説明】
【技術分野】
【０００１】
本発明は、クリップに係り、特に、ハーネス等を保持するクリップに関する。
【背景技術】
【０００２】
従来、図６に示すような構成のクリップ２００が知られている。
【０００３】
クリップ２００は、バンド部２０２と係止部２０４と設置部２０６とを備えており、バンド部２０２の先端部を係止部２０４に挿入することにより、バンド部２０２が環状に形成され、ワイヤーハーネスＷＨを保持するようになっている。
【０００４】
設置部２０６には、たとえば、ボルト２０８が螺合し、ボルト２０８を介してクリップ２００（ワイヤーハーネスＷＨ）が、エンジンの筐体や車体等（図示せず）に設置されるようになっている。
【０００５】
なお、従来の技術に関係する文献として、特許文献１、特許文献２を掲げることができる。
【先行技術文献】
【特許文献】
【０００６】
【特許文献１】特開２００１−１７３６３０号公報
【特許文献２】特開２００８−２３０３４７号公報
【発明の概要】
【発明が解決しようとする課題】
【０００７】
しかしながら、従来のクリップ２００では、一旦環状に形成され設置されてワイヤーハーネスＷＨを保持しているバンド部２０２が、係止部２０４に嵌め殺しになっているので、ワイヤーハーネスＷＨをクリップ２００から取り外す作業が、煩わしいという問題がある。
【０００８】
特に、エンジンルームのエンジンコンパートメント部では、ワイヤーハーネスＷＨの長手方向で、所定の間隔をあけて多数のクリップ２００が高密度で設けられてあるので、ワイヤーハーネスＷＨの取り外しに多くに時間を要してしまう。
【０００９】
本発明は、上記問題点に鑑みてなされたものであり、ワイヤーハーネス等を保持するクリップにおいて、一旦設置されたワイヤーハーネス等を取り外す作業が容易であるクリップを提供することを目的とする。
【課題を解決するための手段】
【００１０】
請求項１に記載の発明は、帯状のバンド部と、前記バンド部の長手方向の中間部で、前記バンド部の長手方向に対して斜めに延びて前記バンド部から枝分かれしている舌部とを有するクリップである。
【００１１】
請求項２に記載の発明は、請求項１に記載のクリップにおいて、前記バンド部の基端部側部位が一体成形されており、前記バンド部の先端部側部位と前記舌部とが一体成形されており、前記バンド部の基端部側部位の先端部に、前記先端部側部位と前記舌部とが、前記先端部側部位と前記舌部との境界で結合されて、前記バンド部が一体的に形成されているクリップである。
【００１２】
請求項３に記載の発明は、請求項２に記載のクリップにおいて、前記バンド部と前記舌部とは、これらの長手方向に直交する平面による断面が、厚さ寸法よりも幅寸法が大きい長方形状に形成されており、前記バンド部の長手方向で、前記バンド部の基端部側部位の先端部の近傍から先端部にかけて、前記基端部側部位の厚さが次第に薄くなっており、この次第に薄くなっている部位における厚さ方向の一方の面と、前記先端部側部位と前記舌部との境界部位における厚さ方向の一方の面とがお互いに面接触して、前記基端部側部位と前記先端部側部位と前記舌部とが一体的に形成されているクリップである。
【００１３】
請求項４に記載の発明は、請求項１に記載のクリップにおいて、前記バンド部の基端部側部位と前記舌部とが一体成形されており、前記バンド部の先端部側部位が一体成形されており、前記バンド部の先端部側部位の基端部に、前記基端部側部位と前記舌部とが、前記基端部側部位と前記舌部との境界で接続されて、前記バンド部が一体的に形成されているクリップである。
【発明の効果】
【００１４】
本発明によれば、ワイヤーハーネス等を保持するクリップにおいて、一旦設置されたワイヤーハーネス等を取り外す作業が容易であるという効果を奏する。
【図面の簡単な説明】
【００１５】
【図１】本発明の実施形態に係るクリップ１の概略構成を示す図である。
【図２】クリップ１でワイヤーハーネスＷＨを保持している状態を示す図である。
【図３】図２におけるＩＩＩ部の拡大図である。
【図４】クリップ１のバンド部３が分断された状態を示す図である。
【図５】クリップ１の変形例を示す図であって、図２に対応した図である。
【図６】従来のクリップ２００を示す図である。
【発明を実施するための形態】
【００１６】
図１は、本発明の実施形態に係るクリップ１の概略構成を示す図である。図１（ｂ）は、図１（ａ）におけるＢ矢視図であり、図１（ｃ）は、図１（ａ）におけるＣ矢視図である。
【００１７】
図２は、クリップ１でワイヤーハーネスＷＨを保持している状態を示す図であり、図３は、図２におけるＩＩＩ部の拡大図である。
【００１８】
クリップ（ハーネスクリップ）１は、たとえば、ワイヤーハーネスＷＨを保持するものであり、帯状のバンド部３と舌部７とを備えており、バンド部３には、バンド係止部５とバンド設置部９とが設けられている。
【００１９】
バンド部３は、可撓性を備えて細長く形成されており、ワイヤーハーネスＷＨ等に環状に巻き付いてワイヤーハーネスＷＨを拘束するようになっている。
【００２０】
バンド係止部５は、バンド部３の長手方向の基端部でバンド部３に一体的に設けられている。バンド係止部５には、バンド部３の先端部側部位１３の一部（長手方向における一部）と係合するバンド係合部１５が設けられている。このバンド係合部１５にバンド部３の一部が係合することによって、バンド部３が所望の径の環状に形成され、ワイヤーハーネスＷＨを束ねて保持するようになっている。
【００２１】
舌部７は、たとえば、帯状に形成されており、バンド部３の長手方向の中間部（先端部側部位１３と基端部側部位１１との境界部）で、バンド部３の長手方向に対して斜めに延びてバンド部３から枝分かれしている。
【００２２】
バンド設置部９は、締結具係合部１９を備え、バンド部３の反対側でバンド係止部５に一体的に設けられている。締結具係合部１９には、ボルト１７が係合するようになっている。ボルト１７は、舌部７が設けられているバンド部３とバンド係止部５とを、図示しないエンジンの筐体や車体等のクリップ設置体（ワイヤーハーネス設置体）に一体的に設置するときに使用される締結具である。
【００２３】
バンド部３とバンド係止部５と舌部７とバンド設置部９とは、たとえば熱可塑性樹脂等の樹脂で構成されており、射出成形で一体成形されているが、バンド部３とバンド係止部５と舌部７とバンド設置部９との総てを一体成形する必要はなく、適宜変更した構成であってもよい。たとえば、バンド部３とバンド係止部５と舌部７とが一体成形されており、これとは別にバンド設置部９が一体成形されており、一体成形されたバンド部３とバンド係止部５と舌部７とに、一体成形されたバンド設置部９を熱溶着等で一体的に設けた構成であってもよい。
【００２４】
なお、クリップ１が外力を受けないで存在している状態では（常態においては）、バンド部３は直線状になっている。
【００２５】
バンド係止部５でバンド部３を環状に形成した場合、舌部７は、環状のバンド部３の外側に位置し、環状のバンド部３から離れる方向でバンド部３から斜めに延出している。すなわち、舌部７と環状になっているバンド部３との接点における環状のバンド部３の接線の方向とほぼ等しい方向に、舌部７が延出している。
【００２６】
そして、バンド係止部５でバンド部３を環状に形成しワイヤーハーネスＷＨを環の中に貫通させてワイヤーハーネスＷＨを保持しているときに（ワイヤーハーハーネス保持状態であるときに）、舌部７をこの延出方向（図３に示す矢印Ａ３の方向）やこの延出方向に対して僅かな角度で交差している方向に所定の力（バンド部３でワイヤーハーネスＷＨを保持しているときにバンド部３に発生している張力とほぼ等しい大きさの力；図３で示す矢印Ａ１や矢印Ａ２の方向の張力）で引っ張っても、バンド部３は分断しないようになっている。
【００２７】
その一方で、バンド部３がワイヤーハーネス保持状態であるときに、舌部７を、この延出方向に対してほぼ逆方向（たとえば、ハーネス保持状態において、舌部７に対して鋭角ではなくて鈍角で交差しているバンド部３の延出方向とほぼ同じ方向；図３で示す矢印Ａ４や矢印Ａ５の方向）に引っ張ると、舌部７が図３に二点鎖線で示すように変形し、バンド部３と舌部７との鋭角の交差部位に応力集中が生じ、この応力集中によって発生した亀裂２１が成長して、図４で示すように、舌部７が枝別れしている部位でバンド部３が分断され、ワイヤーハーネスＷＨの保持が解除されるようになっている。
【００２８】
なお、バンド部３の先端部側部位１３には、ラチェットの歯に相当する複数の鋸歯状の凹凸部（図示せず）がバンド部３の長手方向に並んで設けられており、バンド係止部５の係合部１５には、ラチェットの係止爪に相当する係止爪（図示せず）が設けられている。そして、バンド部３の先端部側部位１３をバンド係止部５の係合部１５に挿入すると、先端部側部位１３に設けられている複数の鋸歯状の凹凸のうちのいずれかの凹凸が係止爪に係合し、バンド部３が所望の径で環状になりワイヤーハーネスＷＨが保持されるようになっている。
【００２９】
ところで、バンド部３や舌部７が一体成形されていない構成であってもよい。
【００３０】
たとえば、バンド部３の長手方向における基端部側の部位（バンド係止部５側の部位）である基端部側部位１１を射出成形で一体成形し、バンド部３の長手方向における先端部側の部位である先端部側部位１３と舌部７とを射出成形で一体成形し、これらの一体成形されたものを、お互いに結合して、バンド部３や舌部７を一体的に形成してあってもよい。
【００３１】
なお、一体成形された先端部側部位１３と舌部７とは、先端部側部位１３の基端部から舌部７が延びて帯状に形成されている。また、バンド部３の基端部側部位１１の先端部に、先端部側部位１３と舌部７とが、先端部側部位１３と舌部７との境界の部位２３で、たとえば、熱溶着により結合されている（図１（ａ）参照）。そして、バンド部３が一体的に形成され、舌部７が、基端部側部位１１の側に斜めに延びている。すなわち、舌部７と基端部側部位１１との交差角度が鋭角になっている。
【００３２】
この場合、たとえば、バンド部３の基端部側部位１１とバンド係止部５とバンド設置部９とが一体成形されており、一体成形された舌部７とバンド部先端部側部位１３と、一体成形されたバンド部基端部側部位１１とバンド係止部５とバンド設置部９とが、成形時に熱溶着等によって結合されている。すなわち、金型を用いて予め射出成形で一体成形した舌部７とバンド部先端部側部位１３とを別の金型にセットし、舌部７とバンド部先端部側部位１３とに結合されるように、バンド部基端部側部位１１とバンド係止部５とバンド設置部９とを射出成形してある。
【００３３】
また、金型による射出成形で一体成形した舌部７とバンド部先端部側部位１３と、別の金型で一体成形したバンド部基端部側部位１１とバンド係止部５とバンド設置部９とを、レーザ溶接で結合してもよい。この場合、レーザ光の照射の態様を変えて、両部材の間の固着力を調整してもよい。特に、両部材間で材質が異なる場合には、レーザ光の照射の態様を変えて両部材の間の固着力を調整することが望ましい。
【００３４】
また、金型を用いた射出成形で一体成形した舌部７とバンド部先端部側部位１３と、別の金型で一体成形したバンド部基端部側部位１１とバンド係止部５とバンド設置部９とを、接着剤を用いて結合してもよい。
【００３５】
バンド部３について、さらに詳しく説明する。
【００３６】
バンド部３と舌部７とは、これらの長手方向に直交する平面による断面が、厚さ寸法よりも幅寸法が大きい長方形状に形成されている。
【００３７】
バンド部３が環状になるときには、バンド部３がこの厚さ方向の厚さ方向（前記断面の厚さ方向）で湾曲するようになっている（バンド部３の断面の厚さ方向に対して直交する方向に展開している２つ面が円柱側面状に湾曲するようになっている）。
【００３８】
また、バンド部３の長手方向において、バンド部３の基端部側部位１１の先端部の近傍から先端部にかけて、図１（ａ）や図２や図３に破線で示すように、基端部側部位１１の厚さが次第に薄くなっている。
【００３９】
この次第に薄くなっている部位における厚さ方向の一方の面と、バンド部３の先端部側部位１３と舌部７との境界部位における厚さ方向の一方の面とが、所定の長さにわたってお互いに面接触して（図１（ａ）や図２や図３に破線で示す箇所２３で面接触して）、基端部側部位１１と先端部側部位１３と舌部７とが一体的に形成されている。
【００４０】
ここで、クリップ１によるワイヤーハーネスＷＨの保持を解除する手順について説明する。
【００４１】
図２や図３で示すように、クリップ１がワイヤーハーネスＷＨを保持している状態で、図３で矢印Ａ４に示す方向に舌部７を引っ張ると、図３に二点鎖線で示すように舌部７が弾性変形する。
【００４２】
この弾性変形をした状態で、図３で矢印Ａ５に示す方向に舌部７をさらに引っ張ると、バンド部基端部側部位１１と舌部７との間に応力集中が発生し、亀裂２１が生じる。この生じた亀裂２１が成長し、バンド部３が図４で示すように、図２や図３に示す破線の部位２３で分断され、クリップ１によるワイヤーハーネスＷＨの保持が解除される。
【００４３】
クリップ１によれば、バンド部３の長手方向の中間部で、舌部７が斜め延出しているので、一旦設置されたワイヤーハーネスＷＨを取り外す作業が容易になる。
【００４４】
すなわち、一旦設置されたワイヤーハーネスＷＨを取り外す場合、図３の矢印Ａ４や矢印Ａ５で示す方向に舌部７を引っ張れば、図３や図４で示すように、バンド部３が小さな力で容易に分断され、ワイヤーハーネスＷＨの保持が解除されワイヤーハーネスＷＨを低コストで簡単に取り外すことができる。
【００４５】
また、クリップ１によれば、バンド部３の基端部側部位１１が一体成形されており、バンド部３の先端部側部位１３と舌部７とが一体成形されており、バンド部３の基端部側部位１１の先端部に、バンド部３の先端部側部位１３と舌部７とがこれらの境界の部位２３で結合されているので、この結合部における引っ張り強度が、バンド部３の他の部位における引張り強度よりも小さくなっている。したがって、舌部７を図３で示す矢印Ａ４や矢印Ａ５の方向に引っ張ったときに、前記結合部でバンド部３が分断されやすくなっており、バンド部３の分断によるワイヤーハーネスＷＨの保持の解除を一層容易に行うことがきる。
【００４６】
また、クリップ１によれば、バンド部３と舌部７との断面形状が長方形状に形成されており、バンド部３の基端部側部位１１の先端部側で、基端部側部位１１の厚さが次第に薄くなっており、この次第に薄くなっている部位に、先端部側部位１３と舌部７との境界部位が接続されているので、両部材（バンド部３の基端部側部位１１と、バンド部３の先端部側部位１３と舌部７）の接続部位の長さを確保することができ、安定した状態で、両部材を熱溶着することができる。
【００４７】
ところで、図１〜図３に示す態様では、舌部７が、バンド部３の基端部側部位１１側に延出しているが、図５で示すように、舌部７が、バンド部３の先端部側部位１３側に延出している構成であってもよい。
【００４８】
すなわち、バンド部３の基端部側部位１１と舌部７とが一体成形されており、バンド部３の先端部側部位１３が一体成形されており、バンド部３の先端部側部位１３の基端部に、バンド部３の基端部側部位１１と舌部７とが、バンド部３の基端部側部位１１と舌部７との境界の部位で接続されて、バンド部３が一体的に形成されている構成であってもよい。この場合、舌部７と先端部側部位１３との交差角度が鋭角になっている。また、たとえば、バンド部３の基端部側部位１１と舌部７とバンド係止部５とバンド設置部９とが一体成形されており、一体成形されたバンド部先端部側部位１３と、一体成形された舌部７とバンド部基端部側部位１１とバンド係止部５とバンド設置部９とが、成形時等に熱溶着等によって結合されているものとする。
【００４９】
また、バンド部３と舌部７とは、図２等で示した場合と同様にして、これらの長手方向に直交する平面による断面が、厚さ寸法よりも幅寸法が大きい長方形状に形成されており、バンド部３が環状になるときには、バンド部３がこのの厚さ方向で湾曲するようになっているものとする。
【００５０】
さらに、バンド部３の長手方向で、バンド部３の先端部側部位１３の基端部の近傍から基端部にかけて、先端部側部位１３の厚さが次第に薄くなっており、この次第に薄くなっている部位における厚さ方向の一方の面と、基端部側部位１１と舌部７との境界部位における厚さ方向の一方の面とが、所定の長さにわたってお互いに面接触して、基端部側部位１１と先端部側部位１３と舌部７とが一体的に形成されているものとする。
【符号の説明】
【００５１】
１  クリップ
３  バンド部
７  舌部
１１  バンド部の基端部側部位
１３  バンド部の先端部側部位
【図１】
2010230126.tif 000003
【図２】
2010230126.tif 000004
【図３】
2010230126.tif 000005
【図４】
2010230126.tif 000006
【図５】
2010230126.tif 000007
【図６】
2010230126.tif 000008